(57)【要約】ペット生活システムにおいて、フレーム（１）を備え、前記フレーム（１）にペット活動プラットフォーム（２）が設けられ、前記ペット活動プラットフォーム（２）の第１端がペットの入出口となり、前記ペット活動プラットフォームの第２端の外側に貯水装置（３）および貯穀装置（４）が設けられ、前記ペット活動プラットフォーム（２）に、ペットの排泄物を自動的に清掃するための清掃機構と、ペットの排泄物を落下させるための落下孔（５）とが設けられ、前記フレームに、前記落下孔の下方に落下孔（５）から落下するペットの排泄物を自動的に包装するための排泄物包装機構が設けられる。【選択図】図１
2019535332.tif 000002
【特許請求の範囲】
【請求項１】
フレームと、前記フレームに設けられたペット活動プラットフォームとを備え、前記ペット活動プラットフォームの第１端がペットの入出口となり、前記ペット活動プラットフォームの第２端の外側に貯水装置および貯穀装置が設けられ、前記ペット活動プラットフォームに、ペットの排泄物を自動的に清掃するための清掃機構と、ペットの排泄物を落下させるための落下孔とが設けられ、前記フレームに、前記落下孔の下方に落下孔から落下するペットの排泄物を自動的に包装するための排泄物包装機構が設けられる、ペット生活システム。
【請求項２】
前記清掃機構は、前記ペット活動プラットフォームに密着するとともに、前記ペット活動プラットフォームを横断するように設けられたスキージを備え、前記スキージの両端にスキージ固定ピンがそれぞれ設けられ、前記スキージ固定ピンの外端がそれぞれ円板に対して偏心して連結され、前記円板の中心に回動ロッドの第１端が固定され、前記回動ロッドの第２端が回動可能に回転ベースに設けられ、２つの回転ベースがそれぞれ２つのスクリューナットに固定連結され、前記２つのスクリューナットがそれぞれ２本の伝動スクリューに取り付けられ、前記２本の伝動スクリューが軸受ベースによって平行に離間して前記ペット活動プラットフォームの両側に設けられ、且つ、前記２本の伝動スクリューの駆動端にそれぞれタイミングプーリが取り付けられ、２つのタイミングプーリの間にタイミングベルトが連結され、そのうちの１つのタイミングプーリに減速モータの出力軸が接続され、前記減速モータは、ペット活動プラットフォームに沿って往復運動するようにスキージを駆動する、請求項１に記載のペット生活システム。
【請求項３】
前記ペット活動プラットフォームに、ペット活動プラットフォームに排泄物があるか否かを検出するための検出装置が設けられる、請求項１に記載のペット生活システム。
【請求項４】
前記回動ロッドにねじりバネが取り付けられ、前記ねじりバネの第１端が前記円板に連結され、第２端が前記回転ベースに連結される、請求項２に記載のペット生活システム。
【請求項５】
前記排泄物包装機構は、着脱可能に前記落下孔の下方に設けられた包装袋ボックスを備え、前記包装袋ボックスの下方に自動封口機構が設けられ、前記包装袋ボックスはハウジングを備え、前記ハウジングの頂部に貫通孔が開設され、前記貫通孔の縁部から下へ延伸し包装袋に被せられる内筒体が形成され、前記ハウジングに、前記内筒体の外周に外筒体が設けられ、前記外筒体の両側辺にそれぞれ駆動輪ユニットが取り付けられ、前記駆動輪ユニットは、互いに密着する駆動輪および従動輪を備え、前記包装袋が積み重なって開口端によって前記内筒体に被せられ、且つ、前記包装袋の両側辺は前記駆動輪と従動輪との間に係入され、前記駆動輪に駆動モータが接続され、前記自動封口機構は、平行に離間して前記フレームに固定された２本のガイドロッドを備え、前記２本のガイドロッドに、第１発熱ブロックおよび第２発熱ブロックが移動可能に穿設され、前記第１発熱ブロックにリニアアクチュエータが接続され、前記第２発熱ブロックに包装袋を封口箇所で切断するためのブレードが取り付けられる、請求項１から４のいずれか一項に記載のペット生活システム。
【請求項６】
前記内筒体の両側辺に、包装袋を広げるためのバネ片が対応して取り付けられる、請求項５に記載のペット生活システム。
【請求項７】
前記外筒体の長さは前記内筒体の長さよりも大きく、前記駆動輪ユニットが前記内筒体の下方に設けられ、２つの駆動輪の間に駆動軸が連結され、前記駆動軸の一端に第１傘歯車が連結され、前記駆動モータの出力軸に、前記第１傘歯車に噛合された第２傘歯車が固定され、２つの従動輪がそれぞれ車軸を介して前記外筒体内に取り付けられる、請求項５
に記載のペット生活システム。
【請求項８】
前記第２発熱ブロックの中央部に、前記第２発熱ブロックの圧着面に沿って隙間が設けられ、前記ブレードの後端部が前記フレームに固定され、前記ブレードの先端部が前記隙間内に設けられた刃先端であり、第１発熱ブロックおよび第２発熱ブロックが封口を圧着する時に、前記ブレードは圧着箇所の中央部に沿って袋を切断する、請求項５に記載のペット生活システム。
【請求項９】
前記フレームに２本のガイドレールが固定され、前記２本のガイドレールにそれぞれ係入溝が開設され、前記ハウジングが装着されると、前記ハウジングの両側辺が前記係入溝内に係入される、請求項５に記載のペット生活システム。
【請求項１０】
前記貯水装置は、水位圧力平衡式のウォータボトルを採用し、前記ウォータボトル内に液位センサが取り付けられ、前記液位センサがコントローラを介して飼い主の遠隔制御端末と通信接続される、請求項１に記載のペット生活システム。
【発明の詳細な説明】
【技術分野】
【０００１】
本開示は、ペット用品の分野に関し、例えば、ペット生活システムに関する。
【背景技術】
【０００２】
社会経済の発展に伴い、人々の生活の質もますます向上し、飼い犬、飼い猫のような家庭内のペットの飼育も、人々の生活における重要なレクリエーション方式となる。飼育中に、ペットが家にいることによる環境、空気の汚染はますます深刻になり、特に、ペットの排泄物は家庭環境を汚染する主な難病となっている。
【０００３】
そのため、一般的には、ペットの休憩用の単独したペットハウスを用意する。従来のペットハウスは、ペットの睡眠および食事しか対応できず、飼い主は、ペットの排泄物を毎日清掃するのに大量の時間をかける。
【発明の概要】
【発明が解決しようとする課題】
【０００４】
本開示は、関連技術におけるペットの飼育中に存在するペットの排泄物を手動で清掃する必要があるという問題を解決するためのペット生活システムを提供する。
【課題を解決するための手段】
【０００５】
本開示は、以下の技術案を採用する。
【０００６】
ペット生活システムにおいて、フレームと、前記フレームに設けられたペット活動プラットフォームとを備え、前記ペット活動プラットフォームの第１端がペットの入出口となり、前記ペット活動プラットフォームの第２端の外側に貯水装置および貯穀装置が設けられ、前記ペット活動プラットフォームに、ペットの排泄物を自動的に清掃するための清掃機構と、ペットの排泄物を落下させるための落下孔とが設けられ、前記フレームに、前記落下孔の下方に落下孔から落下したペット排泄物を自動的に包装するための排泄物包装機構が設けられる。
【０００７】
好ましくは、前記清掃機構は、前記ペット活動プラットフォームに密着するとともに、前記ペット活動プラットフォームを横断するように設けられたスキージを備え、前記スキージの両端にスキージ固定ピンがそれぞれ設けられ、前記スキージ固定ピンの外端がそれぞれ円板に対して偏心して連結され、前記円板の中心に回動ロッドの第１端が固定され、前記回動ロッドの第２端が回動可能に回転ベースに設けられ、２つの回転ベースがそれぞれ２つのスクリューナットに固定連結され、前記２つのスクリューナットがそれぞれ２本の伝動スクリューに取り付けられ、前記２本の伝動スクリューが軸受ベースによって平行に離間して前記ペット活動プラットフォームの両側に設けられ、且つ、前記２本の伝動スクリューの駆動端にそれぞれタイミングプーリが取り付けられ、２つのタイミングプーリの間にタイミングベルトが連結され、そのうちの１つのタイミングプーリに減速モータの出力軸が接続され、前記減速モータは、ペット活動プラットフォームに沿って往復運動するようにスキージを駆動する。
【０００８】
好ましくは、前記ペット活動プラットフォームに、ペット活動プラットフォームに排泄物があるか否かを検出するための検出装置が設けられる。
【０００９】
好ましくは、前記回動ロッドにねじりバネが取り付けられ、前記ねじりバネの第１端が前記円板に連結され、第２端が前記回転ベースに連結される。
【００１０】
好ましくは、前記排泄物包装機構は、前記落下孔の下方に着脱可能に設けられた包装袋ボックスを備え、前記包装袋ボックスの下方に自動封口機構が設けられ、前記包装袋ボックスはハウジングを備え、前記ハウジングの頂部に貫通孔が開設され、前記貫通孔の縁部から下へ延伸して包装袋に被せられる内筒体が形成され、前記ハウジングに、前記内筒体の外周に外筒体が設けられ、前記外筒体の両側辺にそれぞれ駆動輪ユニットが取り付けられ、前記駆動輪ユニットは、互いに密着する駆動輪および従動輪を備え、前記包装袋が積み重なって開口端によって前記内筒体に被せられ、且つ、前記包装袋の両側辺が前記駆動輪と従動輪との間に係入され、前記駆動輪に駆動モータが接続され、前記自動封口機構は、平行に離間して前記フレームに固定された２本のガイドロッドを備え、前記２本のガイドロッドに、第１発熱ブロックおよび第２発熱ブロックが移動可能に穿設され、前記第１発熱ブロックにリニアアクチュエータが接続され、前記第２発熱ブロックに包装袋を封口箇所で切断するためのブレードが取り付けられる。
【００１１】
好ましくは、前記内筒体の両側辺に、包装袋を広げるためのバネ片が対応して取り付けられる。
【００１２】
好ましくは、前記外筒体の長さは前記内筒体の長さよりも大きく、前記駆動輪ユニットが前記内筒体の下方に設けられ、２つの駆動輪の間に駆動軸が連結され、前記駆動軸の一端に第１傘歯車が連結され、前記駆動モータの出力軸に、前記第１傘歯車に噛合された第２傘歯車が固定され、２つの従動輪がそれぞれ車軸を介して前記外筒体内に取り付けられる。
【００１３】
好ましくは、前記第２発熱ブロックの中央部に、前記第２発熱ブロックの圧着面に沿って隙間が設けられ、前記ブレードの後端部が前記フレームに固定され、前記ブレードの先端部が前記隙間内に設けられた刃先端であり、第１発熱ブロックおよび第２発熱ブロックが封口を圧着する時に、前記ブレードは圧着箇所の中央部に沿って袋を切断する。
【００１４】
好ましくは、前記フレームに２本のガイドレールが固定され、前記２本のガイドレールにそれぞれ係入溝が開設され、前記ハウジングが装着されると、前記ハウジングの両側辺が前記係入溝内に係入される。
【００１５】
好ましくは、前記貯水装置は、水位圧力平衡式のウォータボトルを採用し、前記ウォータボトル内に液位センサが取り付けられ、前記液位センサがコントローラを介して飼い主の遠隔制御端末と通信接続される。
【発明の効果】
【００１６】
本開示は、関連技術に比べると、前記ペット生活システムがペットに対して給餌および飲水を行う機能を有するだけでなく、更に、ペットの排泄物を自動的に清掃して包装することを実現できる。ペットの飼育が大幅に容易になり、ペットの排泄物による室内環境への汚染を回避する。
【図面の簡単な説明】
【００１７】
【図１】具体的な実施形態１に係るペット生活システムの斜視構造模式図である。
【図２】具体的な実施形態１に係るペット生活システムの側面図である。
【図３】具体的な実施形態１に係るペット生活システムの底面図である。
【図４】具体的な実施形態１に係るペット生活システムの清掃機構の斜視構造模式図である。
【図５】図４におけるＡ箇所の部分拡大図である。
【図６】具体的な実施形態１に係るペット生活システムの包装袋ボックスの斜視構造模式図である。
【図７】具体的な実施形態１に係るペット生活システムの包装袋ボックスの分解図である。
【図８】具体的な実施形態１に係るペット生活システムの自動封口機構の斜視構造模式図である。
【図９】具体的な実施形態１に係るペット生活システムの自動封口機構の第２発熱ブロックの斜視構造模式図である。
【発明を実施するための形態】
【００１８】
以下、図面および具体的な実施形態を参照しながら、本開示の技術案を説明する。矛盾しない限り、以下の実施例と実施例における特徴は、互いに任意に組み合わせることができる。
【００１９】
図１〜図９に示すように、本実施例において、ペット生活システムはフレーム１を備え、前記フレーム１にペット活動プラットフォーム２が設けられ、前記ペット活動プラットフォーム２の第１端がペットの入出口となり、第２端の外側に貯水装置３および貯穀装置４が設けられ、前記貯水装置３内にペットの飲用水が収容され、前記貯穀装置４内にペットの７〜１０日分の食物が収容可能であり、前記フレーム１の外側（ペットの入出口端を除き）にカバープレートがそれぞれ取り付けられ、前記貯水装置３は、水位圧力平衡式のウォータボトルを採用してもよく、ペットの飲用水の量に応じてペットの水飲みボックスを自動的に補完し、前記ウォータボトル内に液位センサが取り付けられ、前記液位センサがコントローラを介して飼い主の携帯電話のＡＰＰ（Ａｐｐｌｉｃａｔｉｏｎ、アプリケーション）と通信接続される。これにより、ペット用の水がなくなることを飼い主が知らないことを回避する。
【００２０】
前記ペット活動プラットフォーム２に、ペットの排泄物を自動的に清掃するための清掃機構と、ペットの排泄物を落下させるための落下孔５とが設けられ、前記フレーム１に、前記落下孔５の下方に、落下孔５から落下するペットの排泄物を自動的に包装するための排泄物包装機構が設けられる。
【００２１】
前記清掃機構は、前記ペット活動プラットフォーム２に密着するとともに、前記ペット活動プラットフォーム２を横断するように設けられたスキージ６を備え、前記フレーム１に、前記ペット活動プラットフォーム２の両側にそれぞれ側板７が取り付けられ、２枚の側板７の底部に、１本の長尺状の移動溝８が対応して開設され、前記スキージ６の両端が前記移動溝８を貫通して前記ペット活動プラットフォーム２に設けられ、前記落下孔５は、上が大きくて下が小さい漏斗状の孔を採用し、前記スキージ６は、ポリウレタン板で作製されたものであってもよい。前記ペット活動プラットフォーム２に、ペット活動プラットフォーム２に排泄物があるか否かを検出するための検出装置が設けられてもよい。
【００２２】
前記フレーム１に、前記２枚の側板７の外側にそれぞれ伝動スクリュー９が設けられ、２本の伝動スクリュー９が軸受ベース１０によって平行に離間してフレーム１に設けられ、前記２本の伝動スクリュー９に、それぞれスクリューナット１１が取り付けられ、前記２本の伝動スクリュー９の駆動端にそれぞれタイミングプーリ１２が取り付けられ、２つのタイミングプーリ１２の間にタイミングベルト１３が連結され、そのうちの１つのタイミングプーリ１２に減速モータ１４の出力軸が接続される。該駆動構造によれば、スキージ６の清掃動作がより確実かつ安定的に行われる。
【００２３】
前記スキージ６の両端にそれぞれスキージ固定ピン１５が固定され、２本のスキージ固定ピン１５の外端がそれぞれ円板１６に対して偏心して連結され、前記円板１６の中心に回動ロッド１７の第１端が固定され、前記回動ロッド１７の第２端が回動可能に回転ベー
ス１８に設けられ、前記回転ベース１８が前記スクリューナット１１に固定連結される。前記回動ロッド１７にねじりバネ１９が取り付けられ、前記ねじりバネ１９の第１端が前記円板１６に連結され、第２端が前記回転ベース１８に連結される。スキージ固定ピン１５と前記円板１６との偏心連結によって、スキージ６をペット活動プラットフォーム２に良好に密着させることができ、ねじりバネ１９は、清掃動作をより確実かつ安定的にし、すり抜けを起こさないように、スキージ６の下向きの圧力を制御するために用いられる。
【００２４】
前記排泄物包装機構は、着脱可能に前記落下孔５の下方に設けられた包装袋ボックス２０を備え、前記包装袋ボックス２０の下方に自動封口機構２１が取り付けられ、前記フレーム１に、２本のガイドレール２２が平行に離間して固定される。図６に示すように、前記包装袋ボックス２０は、ハウジング２００を備え、前記ハウジング２００は、上天板２０１と、係止具によって前記上天板２０１の底部に連結された外筒体２０２とを備え、前記２本のガイドレール２２に係入溝が対応して開設され、且つ、両者の設置距離が前記上天板２０１の幅に合わせて設定され、前記ハウジング２００は、装着時に、上天板２０１の両側辺を前記係入溝内に係入することによりフレーム１内に押し込まれ、ハウジング２００を取り外す時に、上天板２０１を２本のガイドレール２２から抜き出せばよい。
【００２５】
前記上天板２０１の中心に貫通孔２０３が開設され、前記貫通孔２０３の縁部から下へ延伸して包装袋に被せられる内筒体２０４が形成され、前記包装袋は、一端が開口して他端が閉じられた長袋を採用し、装着時に、包装袋の開口端を積み重なって前記内筒体２０４に被せ、前記外筒体２０２が前記内筒体２０４の外周に位置し、且つ、前記外筒体２０２の長さが前記内筒体２０４の長さよりも大きい。
【００２６】
前記外筒体２０２の両側辺にそれぞれ駆動輪ユニットが取り付けられ、前記駆動輪ユニットが前記内筒体２０４の下方に位置し、前記駆動輪ユニットは、互いに密着する駆動ゴム輪２０５および従動ゴム輪２０６を備え、２つの駆動ゴム輪２０５の間に駆動軸２０７が連結され、２つの従動ゴム輪２０６が車軸２０８を介して前記外筒体２０２内に取り付けられる。前記駆動軸２０７の一端に第１傘歯車２０９が連結され、駆動モータ２１０の出力軸に、前記第１傘歯車２０９に噛合された第２傘歯車２１１が固定される。
【００２７】
前記内筒体２０４の両側辺に、包装袋を広げるためのバネ片２１２が対応して取り付けられ、使用時に、包装袋を予め内筒体２０４に被せ、バネ片２１２によって包装袋を広げ、前記包装袋の両側辺を駆動ゴム輪２０５と従動ゴム輪２０６との間に係入する必要がある。
【００２８】
前記自動封口機構２１は、固定ねじ２１３によってフレーム１に固定された２本のガイドロッド２１４を備え、前記２本のガイドロッド２１４が平行に離間して設けられ、前記２本のガイドロッド２１４に、第１発熱ブロック２１５および第２発熱ブロック２１６が移動可能に穿設され、前記第１発熱ブロック２１５にリニアアクチュエータ２１７が接続され、前記第２発熱ブロック２１６に包装袋を封口箇所で切断するためのブレード２１８が取り付けられ、前記第２発熱ブロック２１６の中央部に、前記第２発熱ブロック２１６の圧着面に沿って隙間２１９が設けられ、前記ブレード２１８の後端部が前記フレーム１に固定され、前記ブレード２１８の先端部が前記隙間２１９内に設けられた刃先端であり、第１発熱ブロック２１５および第２発熱ブロック２１６が封口を圧着する時に、前記ブレード２１８は圧着箇所の中央部に沿って袋を切断する。
【００２９】
前記２本のガイドロッド２１４に、前記第２発熱ブロック２１６の外側に戻しばね２２０が取り付けられ、前記第１発熱ブロック２１５および第２発熱ブロック２１６の圧着面は、相合対応するジクザグ面を採用し、前記ブレード２１８の刃先端はジグザグ状である。
【００３０】
前記第１発熱ブロック２１５および第２発熱ブロック２１６は、電気加熱を採用し、両者内にそれぞれ電気加熱管が設けられる。もちろん、前記第１発熱ブロック２１５および第２発熱ブロック２１６は、ＰＴＣ（Ｐｏｓｉｔｉｖｅ  Ｔｅｍｐｅｒａｔｕｒｅ  Ｃｏｅｆｆｉｃｉｅｎｔ、正特性）加熱を採用してもよく、両者内にそれぞれＰＴＣ発熱素子が設けられ、第１発熱ブロック２１５および第２発熱ブロック２１６の発熱安定性を向上させ、消費電力を低減し、発熱ブロックの耐用年数を延長する。
【００３１】
使用時に、ペットをペット活動プラットフォーム２に置き、ペットは貯水装置３および貯穀装置４によって飲水と食事を行うことができる。初期状態では、スキージ６は、ペット活動プラットフォーム２において落下孔５から離れた一端にあり、検出装置によってペット活動プラットフォーム２にペットの排泄物があると検出すれば、検出装置は、減速モータ１４に信号を送信し、減速モータ１４は回動し、タイミングベルト１３によって２本の伝動スクリュー９の同期回動を駆動し、更に、スクリューナット１１は、落下孔５に接近する側へ移動するようにスキージ６を駆動し、スキージ６は、ペット活動プラットフォーム２におけるペットの排泄物を清掃し、スキージ６が落下孔５まで移動すると、減速モータ１４は停止し、最終的にペットの排泄物を落下孔５内に清掃する。最後に、減速モータ１４は、復帰するようにスキージ６を再駆動し、一回の清掃動作が完了する。
【００３２】
ペットの排泄物は、落下孔５を介して落下すると、貫通孔２０３を通過して包装袋に落入し、その後、駆動モータ２１０は駆動軸２０７を回動駆動し、駆動ゴム輪２０５および従動ゴム輪２０６を回動駆動し、包装袋を駆動して第１発熱ブロック２１５と第２発熱ブロック２１６との間に位置する適当な位置まで下へ移動すると、リニアアクチュエータ２１７は起動し、第１発熱ブロック２１５を押して２本のガイドロッド２１４に沿って第２発熱ブロック２１６に接近する方向へ移動させ、最終的に、第１発熱ブロック２１５および第２発熱ブロック２１６は圧着面によって包装袋を圧着加熱して封口し、圧着動作と同時に、ブレード２１８は圧着箇所の中央部に沿って包装袋を切断し、ペットの排泄物に対する自動包装を完了する。
【産業上の利用可能性】
【００３３】
本開示に係るペット生活システムは、関連技術に比べると、前記ペット生活システムがペットに対して給餌および飲水を行う機能を有するだけでなく、更に、ペットの排泄物を自動的に清掃して包装することを実現できる。ペットの飼育が大幅に容易になり、ペットの排泄物による室内環境への汚染を回避する。
【図１】
2019535332.tif 000003
【図２】
2019535332.tif 000004
【図３】
2019535332.tif 000005
【図４】
2019535332.tif 000006
【図５】
2019535332.tif 000007
【図６】
2019535332.tif 000008
【図７】
2019535332.tif 000009
【図８】
2019535332.tif 000010
【図９】
2019535332.tif 000011
【国際調査報告】
2019535332.tif 000012
2019535332.tif 000013
2019535332.tif 000014
2019535332.tif 000015